(57)【要約】【課題】メディアの消費をより削減しつつメディアの表裏を判別することができる。【解決手段】収納部は、表裏の一方のみに印刷可能なロール状のメディアを収納する。サーマルヘッド１０５は、メディアが収納部に収納された際に、表裏の判別に用いる印をメディアに印刷する。フォトセンサ１０３は、表裏の判別に用いる印を検出する。カッター１１０は、メディアを切断する。紙送り用ステッピングモーター１０７は、メディアの紙送りを行う。フォトセンサ１０３が表裏の判別に用いる印を検出した場合、紙送り用ステッピングモーター１０７は収納部に収納されているメディアから表裏の判別に用いる印が印刷されている領域がカッター１１０によって切断される位置まで紙送りし、カッター１１０はメディアを切断する。【選択図】図４
2015123667.tif 000002
【特許請求の範囲】
【請求項１】
表裏の一方のみに印刷可能なロール状のメディアを収納する収納部と、
前記メディアが前記収納部に収納された際に、表裏の判別に用いる印を前記メディアに印刷する印刷部と、
前記表裏の判別に用いる印を検出するフォトセンサと、
前記メディアを切断する切断部と、
前記メディアの紙送りを行う紙送り部と、
を備え、
前記フォトセンサが前記表裏の判別に用いる印を検出した場合、前記紙送り部は前記収納部に収納されている前記メディアから前記表裏の判別に用いる印が印刷されている領域が前記切断部によって切断される位置まで紙送りし、前記切断部は前記メディアを切断する
ことを特徴とするプリンタ装置。
【請求項２】
前記印刷部は、前記メディアが前記収納部に収納された際に実行されるメディア準備動作で切断される領域に、前記表裏の判別に用いる印を印刷する
ことを特徴とする請求項１に記載のプリンタ装置。
【請求項３】
前記フォトセンサが前記表裏の判別に用いる印を検出しない場合、前記メディアの収納向きが異なっていることを報知する報知部
を備えることを特徴とする請求項１または請求項２に記載のプリンタ装置。
【請求項４】
前記フォトセンサは、前記メディアの有無の検出を行う
ことを特徴とする請求項１から請求項３のいずれか１項に記載のプリンタ装置。
【請求項５】
表裏の一方のみに印刷可能なロール状のメディアが収納部に収納された際に、表裏の判別に用いる印を前記メディアに印刷する印刷ステップと、
前記表裏の判別に用いる印を検出する検出ステップと、
前記メディアを切断する切断ステップと、
前記メディアの紙送りを行う紙送りステップと、
を含み、
前記検出ステップで前記表裏の判別に用いる印を検出した場合、前記紙送りステップでは前記収納部に収納されている前記メディアから前記表裏の判別に用いる印が印刷されている領域が前記切断ステップで切断される位置まで紙送りし、前記切断ステップでは前記メディアを切断する
ことを特徴とする表裏判別方法。
【発明の詳細な説明】
【技術分野】
【０００１】
本発明は、プリンタ装置および表裏判別方法に関する。
【背景技術】
【０００２】
従来、感熱紙等のメディアをセットした後に部分的に印刷し、その部分をフォトセンサにて読み込み、発色の有無にてメディアの表裏を判別する方法が知られている（例えば、特許文献１、２参照）。
【先行技術文献】
【特許文献】
【０００３】
【特許文献１】特開２００７−３３１１７２号公報
【特許文献２】特開２０１０−２０８１５０号公報
【発明の概要】
【発明が解決しようとする課題】
【０００４】
しかしながら、上述した方法では、表裏を判別するために印刷した部分のメディアは通常の印刷には使用できないため、メディアを無駄に消費してしまうという問題がある。
【０００５】
そこで、本発明は上述の事情を鑑みてなされたものであり、メディアの消費をより削減しつつ、メディアの表裏を判別できるプリンタ装置および表裏判別方法の提供を目的とする。
【課題を解決するための手段】
【０００６】
本発明の幾つかの態様は、表裏の一方のみに印刷可能なロール状のメディアを収納する収納部と、前記メディアが前記収納部に収納された際に、表裏の判別に用いる印を前記メディアに印刷する印刷部と、前記表裏の判別に用いる印を検出するフォトセンサと、前記メディアを切断する切断部と、前記メディアの紙送りを行う紙送り部と、を備え、前記フォトセンサが前記表裏の判別に用いる印を検出した場合、前記紙送り部は前記収納部に収納されている前記メディアから前記表裏の判別に用いる印が印刷されている領域が前記切断部によって切断される位置まで紙送りし、前記切断部は前記メディアを切断することを特徴とするプリンタ装置である。
【０００７】
また、本発明の他の態様のプリンタ装置において、前記印刷部は、前記メディアが前記収納部に収納された際に実行される前記メディア準備動作時に切断される領域に前記表裏の判別に用いる印を印刷することを特徴とする。
【０００８】
また、本発明の他の態様は、前記フォトセンサが前記表裏の判別に用いる印を検出しない場合、前記メディアの収納向きが異なっていることを報知する報知部を備えることを特徴とするプリンタ装置である。
【０００９】
また、本発明の他の態様のプリンタ装置において、前記フォトセンサは、前記メディアの有無の検出を行うことを特徴とする。
【００１０】
また、本発明の他の態様は、表裏の一方のみに印刷可能なロール状のメディアが収納部に収納された際に、表裏の判別に用いる印を前記メディアに印刷する印刷ステップと、前記表裏の判別に用いる印を検出する検出ステップと、前記メディアを切断する切断ステップと、前記メディアの紙送りを行う紙送りステップと、を含み、前記検出ステップで前記表裏の判別に用いる印を検出した場合、前記紙送りステップでは前記収納部に収納されている前記メディアから前記表裏の判別に用いる印が印刷されている領域が前記切断ステップで切断される位置まで紙送りし、前記切断ステップでは前記メディアを切断することを特徴とする表裏判別方法である。
【発明の効果】
【００１１】
本発明によれば、収納部は、表裏の一方のみに印刷可能なロール状のメディアを収納する。また、印刷部は、メディアが収納部に収納された際に、表裏の判別に用いる印をメディアに印刷する。また、フォトセンサは、表裏の判別に用いる印を検出する。また、切断部は、メディアを切断する。また、紙送り部は、メディアの紙送りを行う。また、フォトセンサが表裏の判別に用いる印を検出した場合、紙送り部は収納部に収納されているメディアから表裏の判別に用いる印が印刷されている領域が切断部によって切断される位置まで紙送りし、切断部はメディアを切断する。従って、メディアの消費をより削減しつつメディアの表裏を判別することができる。
【図面の簡単な説明】
【００１２】
【図１】本発明の一実施形態におけるプリンタカバーの閉位置におけるサーマルプリンタを示す斜視図である。
【図２】本実施形態におけるプリンタカバーの開位置におけるサーマルプリンタを示す斜視図である。
【図３】本実施形態におけるプリンタカバーの閉位置におけるサーマルプリンタの正面図である。
【図４】本実施形態におけるサーマルプリンタの構成を示したブロック図である。
【図５】本実施形態におけるサーマルヘッドと、フォトセンサと、表裏判別用マークとのＬ３方向の位置関係を示した概略図である。
【図６】本実施形態における表裏判別用マークとフォトセンサの大きさの比較を示した概略図である。
【図７】本実施形態において、メディアがメディア収納部に収納された際のサーマルプリンタの断面図である。
【図８】本実施形態において、サーマルヘッドがメディアの表裏判別用マークを印刷する際のサーマルプリンタの断面図である。
【図９】本実施形態において、フォトセンサがメディアの表裏判別用マークを検出する際のサーマルプリンタの断面図である。
【図１０】本実施形態において、表裏判別用マークが印刷された領域がカッターによって切断される位置まで紙送り用ステッピングモーターがメディアを紙送りする際のサーマルプリンタの断面図である。
【図１１】本実施形態において、カッターがメディアを切断する際のサーマルプリンタの断面図である。
【図１２】本実施形態におけるサーマルプリンタがメディアの表裏を判別する処理手順を示したフローチャートである。
【図１３】サーマルヘッドよりも下流側にフォトセンサを備えたサーマルプリンタの断面図である。
【発明を実施するための形態】
【００１３】
以下、本発明の実施形態について図面を参照しながら説明する。本実施形態ではプリンタ装置の例としてサーマルプリンタを用いて説明する。図１はプリンタカバー３の閉位置におけるサーマルプリンタ１を示す斜視図である。図２はプリンタカバー３の開位置におけるサーマルプリンタ１を示す斜視図である。図３はプリンタカバー３の閉位置におけるサーマルプリンタ１の正面図である。
【００１４】
図１〜図３に示すように、本実施形態のサーマルプリンタ１は、メディアＲ（用紙）に印刷を行うプリンタである。例えば、メディアＲはロール状の感熱紙であり、チケットやレシート等として利用することができる。図示する例では、サーマルプリンタ１は、ケーシング２と、プリンタカバー３と、プリンタカバー３側に設けられたプラテンユニット４（図２参照）と、ケーシング２側に設けられたヘッドユニット５（図２参照）とを備えている。
【００１５】
なお、本実施形態では、図１に示すプリンタカバー３の閉位置において、紙面に対して左下側（プリンタカバー３側）を前方（矢印ＦＷ方向）、右上側（ケーシング２側）を後方（矢印ＢＡ方向）、上側を上方、下側を下方とし、メディアＲは前方ＦＷに排出されるものとする。また、前後方向Ｌ１及び上下方向Ｌ２に対して直交する方向を左右方向Ｌ３とする。そのため、各図によっては各方向が逆になる場合もある。
【００１６】
図２に示すように、ケーシング２は、樹脂材料や金属材料、或いはこれらを適宜組み合わせることで、前方ＦＷに開口するキューブ状に形成されており、基本骨格となるフレーム体と、フレーム体を覆う外装カバーとで構成されている。
【００１７】
ケーシング２の内部には、メディアＲが収納されるメディア収納部１０（収納部）が形成され、プリンタカバー３を開けることでメディア収納部１０が開放される。メディア収納部１０は、上述したフレーム体の一部により構成された前方ＦＷに向けて開口する箱型とされ、その内側にメディアＲが幅方向を左右方向Ｌ３に一致させた状態で収納される。
【００１８】
また、ケーシング２の開口縁における下部には、左右方向Ｌ３に沿って延在する回動軸１１が配設されている。この回動軸１１には、プリンタカバー３がケーシング２に対して回動可能に連結されている。プリンタカバー３は、ケーシング２の開口部を閉塞する閉位置（図１の状態）と、ケーシング２の開口部を開放する開位置と、の間で９０度程度の角度範囲で回動することにより、ケーシング２の開口部を開閉する。そして、プリンタカバー３が開位置のときにメディア収納部１０が開放され、例えばメディアＲをメディア収納部１０内に投入することが可能とされる（いわゆるドロップイン方式）。
【００１９】
また、図１に示すように、本実施形態のサーマルプリンタ１では、プリンタカバー３の閉位置において、プリンタカバー３の先端部（図１における上端部）とケーシング２との間に、若干の隙間が空くように設計されている。そして、メディアＲは、この隙間を利用してケーシング２の内部から前方ＦＷに引き出される。よって、上述した隙間はメディアＲの排出口１２として機能する。なお、ケーシング２及びプリンタカバー３は、閉位置において、プラテンユニット４とヘッドユニット５とが組み合わされることで、ロックがなされる。
【００２０】
また、本実施形態のケーシング２における上部前側に位置する角部のうち、左右方向Ｌ３の一方側に位置する角部には、プラテンユニット４とヘッドユニット５との組み合わせを解除して、プリンタカバー３の開操作を行う際の解除レバー１３が設けられている。
【００２１】
図４は、本実施形態におけるサーマルプリンタ１の構成を示したブロック図である。図示する例では、サーマルプリンタ１は、通信制御部１０１と、印刷制御部１０２と、フォトセンサ１０３と、ヘッドドライバ部１０４と、サーマルヘッド１０５（印刷部）と、紙送りモーター制御部１０６と、紙送り用ステッピングモーター１０７（紙送り部）と、カッターモーター制御部１０８と、カッター用ステッピングモーター１０９（切断部）と、カッター１１０（切断部）と、ＬＥＤ１１１（報知部）と、ブザー１１２（報知部）とを備えている。
【００２２】
通信制御部１０１は、通信インターフェースを介してＰＣやＰＯＳ端末等のホスト９９と接続している。通信制御部１０１は、ホスト９９との間の通信を制御する。印刷制御部１０２は、サーマルプリンタ１が備える各部の制御を行う。フォトセンサ１０３は、光の特性を用いて物体の有無や印刷の有無を検出する。ヘッドドライバ部１０４は、サーマルヘッド１０５の制御を行う。サーマルヘッド１０５は複数の発熱体１０５１を備えており、この複数の発熱体１０５１を選択的に発熱させることでメディアＲに印刷する。例えば、サーマルヘッド１０５は、メディアＲの表裏判別用マーク（表裏の判別に用いる印）を印刷する。
【００２３】
紙送りモーター制御部１０６は、紙送り用ステッピングモーター１０７の制御を行う。紙送り用ステッピングモーター１０７は、メディアＲの紙送りを行う。カッターモーター制御部１０８は、カッター用ステッピングモーター１０９の制御を行う。カッター用ステッピングモーター１０９は、カッター１１０を動かす。カッター１１０は、カッター用ステッピングモーター１０９によって動かされ、メディアＲを切断する。
【００２４】
ＬＥＤ１１１は、点灯することにより各種情報を報知する。ブザー１１２は、音を発生させることにより各種情報を報知する。ＬＥＤ１１１やブザー１１２は報知部として動作する。
【００２５】
次に、サーマルヘッド１０５と、フォトセンサ１０３と、サーマルヘッド１０５が印刷する表裏判別用マークとのＬ３方向の位置関係について説明する。図５は、本実施形態におけるサーマルヘッド１０５と、フォトセンサ１０３と、表裏判別用マーク２０１とのライン方向（Ｌ３方向）の位置関係を示した概略図である。本実施形態では図示するとおり、サーマルヘッド１０５は、フォトセンサ１０３の中心と表裏判別用マーク２０１との中心が一致するように、表裏判別用マーク２０１を印刷する。この位置関係により、フォトセンサ１０３は、より正確に表裏判別用マーク２０１を検出することができる。
【００２６】
次に、表裏判別用マーク２０１とフォトセンサ１０３の大きさの比率について説明する。図６は、本実施形態における表裏判別用マーク２０１とフォトセンサ１０３の大きさの比較を示した概略図である。図示するとおり、表裏判別用マーク２０１の面積は、フォトセンサ１０３の面積の４倍である。この比率により、フォトセンサ１０３は、より正確に表裏判別用マーク２０１を検出することができる。
【００２７】
次に、メディアＲの表裏判別方法について説明する。図７〜図１１は、サーマルプリンタ１のＬ１方向の断面を示した断面図である。図７は、本実施形態において、メディアＲがメディア収納部１０に収納された際のサーマルプリンタ１の断面図である。図示する例では、メディアＲは、フォトセンサ１０３と、サーマルヘッド１０５（発熱体１０５１）と、カッター１１０と、排出口１２との順に通過することで、サーマルプリンタ１から排出される。
【００２８】
なお、メディアＲが格納されている側を上流側とし、排出口１２側を下流側とする。また、排出口１２とカッター１１０との間のメディアＲの搬送路の長さをａとする。また、カッター１１０と発熱体１０５１との間のメディアＲの搬送路の長さをｂとする。また、発熱体１０５１とフォトセンサ１０３との間のメディアＲの搬送路の長さをｃとする。
【００２９】
図８は、本実施形態において、サーマルヘッド１０５がメディアＲの表裏判別用マーク２０１を印刷する際のサーマルプリンタ１の断面図である。図示する例では、メディアＲに表裏判別用マーク２０１が印刷されている。また、紙送り用ステッピングモーター１０７は、表裏判別用マーク２０１の印刷に合わせて、メディアＲを上流から下流に紙送りしている。
【００３０】
図９は、本実施形態において、フォトセンサ１０３がメディアＲの表裏判別用マーク２０１を検出する際のサーマルプリンタ１の断面図である。図示する例では、紙送り用ステッピングモーター１０７は、フォトセンサ１０３の読み取り位置に表裏判別用マーク２０１が移動するように、メディアＲを下流から上流に紙送りしている。また、フォトセンサ１０３は、表裏判別用マーク２０１を検出している。
【００３１】
図１０は、本実施形態において、表裏判別用マーク２０１が印刷された領域がカッター１１０によって切断される位置まで紙送り用ステッピングモーター１０７がメディアＲを紙送りする際のサーマルプリンタ１の断面図である。図示する例では、紙送り用ステッピングモーター１０７は、メディア収納部１０に収納されているメディアＲから、表裏判別用マーク２０１が印刷された領域がカッター１１０によって切断される位置まで移動するように、メディアＲを上流から下流に紙送りしている。
【００３２】
図１１は、本実施形態において、カッター１１０がメディアＲを切断する際のサーマルプリンタ１の断面図である。図示する例では、カッター１１０は、メディアＲを切断している。
【００３３】
図１２は、本実施形態におけるサーマルプリンタ１がメディアＲの表裏を判別する処理手順を示したフローチャートである。
（ステップＳ１０１）ユーザは、メディアＲをメディア収納部１０に収納し、プリンタカバー３を閉じる。印刷制御部１０２は、プリンタカバー３が閉じられたことを検出した場合、ステップＳ１０２の処理に進む。
【００３４】
（ステップＳ１０２）フォトセンサ１０３は、サーマルプリンタ１内にメディアＲが有るか無いかを検出する。サーマルプリンタ１内にメディアＲが有るとフォトセンサ１０３が検出した場合にはステップＳ１０５の処理に進む。また、サーマルプリンタ１内にメディアＲが無いとフォトセンサ１０３が検出した場合にはステップＳ１０３の処理に進む。
【００３５】
（ステップＳ１０３）印刷制御部１０２は、動作状態を「紙無しエラー状態」に遷移させる。その後、ステップＳ１０４の処理に進む。
【００３６】
（ステップＳ１０４）印刷制御部１０２は、動作状態「紙無しエラー状態」に基づいた動作を行う。その後、処理を終了する。動作状態「紙無しエラー状態」に基づいた動作は、サーマルプリンタ１内にメディアＲが無いことを報知する動作である。例えば、印刷制御部１０２は、ＬＥＤ１１１をパターンＡで点滅させ、サーマルプリンタ１内にメディアＲが無いことを報知する。また、例えば、印刷制御部１０２は、通信制御部１０１を介して、ホスト９９に対してサーマルプリンタ１内にメディアＲが無いことを報知するメッセージを送信する。また、例えば、印刷制御部１０２は、ブザー１１２を鳴動させ、サーマルプリンタ１内にメディアＲが無いことを報知する。
【００３７】
（ステップＳ１０５）ヘッドドライバ部１０４は、サーマルヘッド１０５を制御し、メディアＲに表裏判別用マーク２０１を印刷する。その後、ステップＳ１０６の処理に進む。なお、このときのサーマルプリンタ１の状態は、例えば図８に示した状態である。
【００３８】
（ステップＳ１０６）紙送りモーター制御部１０６は、紙送り用ステッピングモーター１０７を制御し、ステップＳ１０５の処理で印刷した表裏判別用マーク２０１がフォトセンサ１０３の検出範囲の直下に移動するように、メディアＲの紙送り（バックフィード）を行う。その後、ステップＳ１０７の処理に進む。なお、このときのサーマルプリンタ１の状態は、例えば図９に示した状態である。
【００３９】
（ステップＳ１０７）フォトセンサ１０３は、メディアＲの発色の有無を検出する。フォトセンサ１０３がメディアＲの発色を検出した場合にはステップＳ１１０の処理に進む。また、フォトセンサ１０３がメディアＲの発色を検出しない場合にはステップＳ１０８の処理に進む。
【００４０】
例えば、メディアＲは、表裏の一方のみに印字可能なロール状の用紙である。よって、メディア収納部１０にメディアＲが正しく収納されている場合、サーマルヘッド１０５はメディアＲに印刷することができる。この場合、フォトセンサ１０３は、メディアＲの発色を検出する。また、メディア収納部１０にメディアＲが正しく収納されていない場合、サーマルヘッド１０５はメディアＲに印刷することができない。この場合、フォトセンサ１０３は、メディアＲの発色を検出しない。従って、フォトセンサ１０３が検出するメディアＲの発色の有無により、メディアＲが正しく収納されているか否かを判定することができる。
【００４１】
（ステップＳ１０８）印刷制御部１０２は、動作状態を「表裏逆セットエラー状態」に遷移させる。その後、ステップＳ１０９の処理に進む。
【００４２】
（ステップＳ１０９）印刷制御部１０２は、動作状態「表裏逆セットエラー状態」に基づいた動作を行う。その後、処理を終了する。動作状態「表裏逆セットエラー状態」に基づいた動作は、メディアＲの表裏が逆向きに収納されていることを報知する動作である。例えば、印刷制御部１０２は、ＬＥＤ１１１をパターンＢで点滅させ、メディアＲの表裏が逆向きに収納されていることを報知する。また、例えば、印刷制御部１０２は、通信制御部１０１を介して、ホスト９９に対してメディアＲの表裏が逆向きに収納されていることを報知するメッセージを送信する。また、例えば、印刷制御部１０２は、ブザー１１２を鳴動させ、メディアＲの表裏が逆向きに収納されていることを報知する。
【００４３】
（ステップＳ１１０）紙送りモーター制御部１０６は、紙送り用ステッピングモーター１０７を制御し、メディア収納部１０に収納されているメディアＲから、表裏判別用マーク２０１が印刷された領域がカッター１１０によって切断される位置まで移動するように、メディアＲを上流から下流に紙送り（フィード）する。その後、ステップＳ１１１の処理に進む。なお、このときのサーマルプリンタ１の状態は、例えば図１０に示した状態である。
【００４４】
（ステップＳ１１１）カッターモーター制御部１０８は、カッター１１０を制御し、メディアＲを切断する。その後、処理を終了する。なお、このときのサーマルプリンタ１の状態は、例えば図１１に示した状態である。
【００４５】
次に、メディアの消費をより削減しつつメディアの表裏を判別することができる理由について説明する。サーマルプリンタ１は、メディアＲがメディア収納部１０に収納された場合にはメディアの紙送り（フィード）を行うメディア準備動作を実行する。
【００４６】
メディア準備動作は、バックラッシュ（プラテンたわみ）を取ることを目的とする動作である。また、メディア準備動作は、万が一メディアＲの端が排出口１２より上流側（サーマルプリンタ１の内部側）にセットされた場合であっても、プラテン（図示せず）とサーマルヘッド１０５とでメディアＲを挟んでいれば、メディアＲの端を確実に排出口１２から出せるようにすることを目的とする動作である。さらに、メディア準備動作は、メディアがセットされた後、最初の印刷対象データを印刷前に、メディアＲの端の形状を整えることを目的とする動作でもある。例えば、前回の印刷時にメディアＲの紙詰まりを生じてしまい、メディアＲの端がきれいに整っていない場合などが考えられる、このような場合であっても、このメディア準備動作によって、メディアＲの端の形状をきれいに整えられるので、最初の印刷対象データの印刷から帳票などとして使用することができる。
【００４７】
以上の点から、メディア準備動作でのメディアＲの紙送り量（フィード量）は、排出口１２とカッター１１０との間のメディアＲの搬送路の長さａと、カッター１１０と発熱体１０５１との間のメディアＲの搬送路の長さｂとの和よりも多い必要がある。すなわち、メディア準備動作でのメディアＲの紙送り量は（ａ＋ｂ）以上である。なお、バックラッシュを吸収するのに必要なフィード量は（ａ＋ｂ）以下である。
【００４８】
よって、メディア準備動作において切り捨てられるメディアＲの長さの最小値は、メディア準備動作でのメディアＲの紙送り量＋排出口１２とカッター１１０との間のメディアＲの搬送路の長さａである。すなわち、メディア準備動作において切り捨てられるメディアＲの長さの最小値は、２ａ＋ｂである。
【００４９】
一方、表裏判別用マーク２０１の印刷を行い、表裏判別用マーク２０１を残さずにメディア収納部１０に収納されているメディアＲから切断する場合に切り捨てるメディアＲの長さは、以下の式で算出することができる。
【００５０】
（表裏判別用マーク２０１のＬ１方向の長さ）＋（表裏判別用マーク２０１をカッター１１０よりも下流側まで送るためのフィード量：ｂ）＋（排出口１２とカッター１１０との間のメディアＲの搬送路の長さ：ａ）＝（表裏判別用マーク２０１のＬ１方向の長さ）＋ａ＋ｂ
【００５１】
表裏判別用マーク２０１の長さは、上述したとおり、例えばフォトセンサ１０３の長さの２倍である。よって、表裏判別用マーク２０１の長さは、排出口１２とカッター１１０との間のメディアＲの搬送路の長さａよりも短い。従って、表裏判別用マーク２０１の印刷を行い、表裏判別用マーク２０１を残さずにメディア収納部１０に収納されているメディアＲから切断する場合に切り捨てるメディアＲの長さは、メディア準備動作において切り捨てられるメディアＲの長さの最小値よりも短い。
【００５２】
これにより、本実施形態によれば、サーマルプリンタ１は、メディア準備動作において切り捨てられる領域に表裏判別用マーク２０１を印刷し、メディアＲの表裏を判別することができる。従って、メディアＲの消費をより削減しつつメディアＲの表裏を判別することができる。
【００５３】
また、本実施形態では、表裏判別用マーク２０１の検出は、メディアＲの検出を行うフォトセンサ１０３を用いるため、新たなセンサを追加することなくメディアＲの表裏を判別することができる。
【００５４】
なお、上述した実施形態におけるサーマルプリンタ１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部を含むが、必ずしもこれらに限定されるものではない。さらに「コンピュータ読み取り可能な記録媒体」に代え、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５６】
以上、本発明の実施形態について説明したが、本発明は、上記の実施形態に限定されるものではなく、本発明の趣旨を逸脱しない範囲において種々の変更を加えることが可能である
【００５７】
例えば、上述した実施形態では、サーマルプリンタ１は、サーマルヘッド１０５よりも上流側にフォトセンサ１０３を備えているが、これに限らない。例えば、サーマルプリンタ１は、サーマルヘッド１０５よりも下流側にフォトセンサ１０３を備えるようにしてもよい。図１３は、サーマルヘッド１０５よりも下流側にフォトセンサ１０３を備えたサーマルプリンタ１の断面図である。図示するように、サーマルヘッド１０５よりも下流側にフォトセンサ１０３を備えるようにしてもよい。この場合、メディアＲは、サーマルヘッド１０５（発熱体１０５１）と、フォトセンサ１０３と、カッター１１０と、排出口１２との順に通過することで、サーマルプリンタ１から排出される。この構成であれば、表裏判別用マーク２０１の印刷、ならびに該マーク２０１を表裏判別用センサ１０３の直下に位置合わせを行う上で、メディアＲの紙送り方向が上流から下流のみなので、紙送り用ステッピングモーター１０７を停止させることなく一連の動作として行うことができ、上述した実施形態よりも動作に要する時間を短縮できる。
【００５８】
また、例えば、上述した実施形態では、プリンタ装置の例としてサーマルプリンタ１を用いて説明したが、これに限らない。プリンタ装置は、例えば表裏の一方のみに印刷可能なロール状のメディアに印刷する装置であればどのような装置であってもよい。例えば、プリンタ装置は、片面のみが印刷可能なシールに印刷する装置であってもよい。
【符号の説明】
【００５９】
１  サーマルプリンタ
２  ケーシング
３  プリンタカバー
４  プラテンユニット
５  ヘッドユニット
１０  メディア収納部
１１  第１回動軸
１２  排出口
１３  解除レバー
９９  ホスト
１０１  通信制御部
１０２  印刷制御部
１０３  フォトセンサ
１０４  ヘッドドライバ部
１０５  サーマルヘッド
１０６  紙送りモーター制御部
１０７  紙送り用ステッピングモーター
１０８  カッターモーター制御部
１０９  カッター用ステッピングモーター
１１０  カッター
１１１  ＬＥＤ
１１２  ブザー
２０１  表裏判別用マーク
１０５１  発熱体
【図１】
2015123667.tif 000003
【図２】
2015123667.tif 000004
【図３】
2015123667.tif 000005
【図４】
2015123667.tif 000006
【図５】
2015123667.tif 000007
【図６】
2015123667.tif 000008
【図７】
2015123667.tif 000009
【図８】
2015123667.tif 000010
【図９】
2015123667.tif 000011
【図１０】
2015123667.tif 000012
【図１１】
2015123667.tif 000013
【図１２】
2015123667.tif 000014
【図１３】
2015123667.tif 000015